(57)【特許請求の範囲】
【請求項１】
ＣＰＵと、画素と、ソース信号線駆動回路と、を有し、
前記画素は、回路と、ＥＬ素子と、を有し、
前記回路は、映像信号を記憶することができる機能を有し、
前記回路は、ＳＲＡＭとして機能することができる機能を有し、
前記ＣＰＵは、ペンを用いた入力タブレットからの入力が一定時間行われない場合、前記ソース信号線駆動回路を停止させることができる機能を有し、
前記画素は、第１の配線と電気的に接続され、
前記ソース信号線駆動回路は、前記第１の配線と電気的に接続され、
前記第１の配線は、前記回路の２組のｐチャネル型トランジスタ及びｎチャネル型トランジスタの対と重なる領域を有することを特徴とする携帯情報装置。
【請求項２】
ＣＰＵと、画素と、ソース信号線駆動回路と、を有し、
前記画素は、回路と、ＥＬ素子と、を有し、
前記回路は、映像信号を記憶することができる機能を有し、
前記回路は、ＳＲＡＭとして機能することができる機能を有し、
前記ＣＰＵは、ペンを用いた入力タブレットからの入力が一定時間行われない場合、前記ソース信号線駆動回路を停止させることができる機能を有し、
前記画素は、第１の配線と電気的に接続され、
ゲート信号線駆動回路は、前記第１の配線と電気的に接続され、
前記第１の配線は、前記回路の２組のｐチャネル型トランジスタ及びｎチャネル型トランジスタの対と重なる領域を有することを特徴とする携帯情報装置。
【請求項３】
ＣＰＵと、画素と、ソース信号線駆動回路と、を有し、
前記画素は、回路と、ＥＬ素子と、を有し、
前記回路は、映像信号を記憶することができる機能を有し、
前記回路は、ＳＲＡＭとして機能することができる機能を有し、
前記ＣＰＵは、ペンを用いた入力タブレットからの入力が一定時間行われない場合、前記ソース信号線駆動回路へのスタートパルス、クロック信号及び映像信号を停止することができる機能を有し、
前記画素は、第１の配線と電気的に接続され、
前記ソース信号線駆動回路は、前記第１の配線と電気的に接続され、
前記第１の配線は、前記回路の２組のｐチャネル型トランジスタ及びｎチャネル型トランジスタの対と重なる領域を有することを特徴とする携帯情報装置。
【請求項４】
ＣＰＵと、画素と、ソース信号線駆動回路と、を有し、
前記画素は、回路と、ＥＬ素子と、を有し、
前記回路は、映像信号を記憶することができる機能を有し、
前記回路は、ＳＲＡＭとして機能することができる機能を有し、
前記ＣＰＵは、ペンを用いた入力タブレットからの入力が一定時間行われない場合、前記ソース信号線駆動回路へのスタートパルス、クロック信号及び映像信号を停止することができる機能を有し、
前記画素は、第１の配線と電気的に接続され、
ゲート信号線駆動回路は、前記第１の配線と電気的に接続され、
前記第１の配線は、前記回路の２組のｐチャネル型トランジスタ及びｎチャネル型トランジスタの対と重なる領域を有することを特徴とする携帯情報装置。
【請求項５】
請求項１又は請求項３において、
ゲート信号線駆動回路を有し、
前記ＣＰＵは、前記入力タブレットからの入力が一定時間行われない場合、前記ゲート信号線駆動回路を停止させないことができる機能を有することを特徴とする携帯情報装置。
【発明の詳細な説明】
【技術分野】
【０００１】
本発明は、携帯情報装置に関し、特に、ＥＬ、有機ＥＬなどを用いたフラットディスプレイを有する、携帯電話、ＰＤＡ（Personal Digital Assistant）、携帯パソコン、携帯ゲーム装置、携帯ナビゲーションシステム、電子書籍などの携帯情報装置に関する。
【背景技術】
【０００２】
近年、通信技術の発展によって、携帯電話が普及している。今後はさらに動画の電送や、より多量の情報伝達が予想される。一方パーソナルコンピュータもその軽量化によって、モバイル対応の製品が生産されている。電子手帳にはじまったパーソナルデジタルアシスタントと呼ばれる情報機器も多数生産され、普及しつつある。また、ＥＬ表示装置などの発展により、それらの携帯機器にはほとんどのものにフラットディスプレイが装備されている。
【０００３】
さらに最近の技術として、アクティブマトリクス型の表示装置が、それら携帯機器に用いられ始めている。アクティブマトリクス型の表示装置は、画素１つずつに対して、ＴＦＴを１つずつ配置し、そのＴＦＴによって、画面を制御している。この様なアクティブマトリクス型の表示装置はパッシブマトリクス型の表示装置に比較して、画像の高精細化に対応でき、画質を向上させることができ、動画に対応できるなどの長所を持っている。それ故に今後は携帯情報機器の表示装置はパッシブマトリクス型からアクティブマトリクス型に変化していくと思われる。
【０００４】
また、アクティブマトリクス型表示装置のなかでも、近年、低温ポリシリコンを用いた、表示装置の製品化が行われている。低温ポリシリコン技術によって、画素を構成する画素ＴＦＴの他に、画素部の周辺部に、ＴＦＴを用いて駆動回路を同時形成することができる。そのため、装置の小型化、低消費電力化に大いに貢献し、それに伴って、近年その応用分野の拡大が著しいモバイル機器の表示部等に、ＥＬ表示装置（ＥＬ素子を有する表示装置）は不可欠なデバイスとなってきている。
【０００５】
図１０に従来の携帯情報端末のブロック図を示す。１２０４は電源である。携帯情報端末では、ユーザーが必要に応じて求める情報を引き出すことが要求される。その情報とは、携帯情報端末内の記憶装置（ＤＲＡＭ１２０９、フラッシュメモリ１２１０など）に記憶されているもの、携帯情報端末に差し込まれるメモリーカード１２０３に記憶されているもの、外部インターフェイスポート１２０５を介して外部機器と接続して得れるものなどがある。
【０００６】
ペン入力タブレット１２０１より入力されるユーザーの指示を、検出回路１２０２において電子情報として読み込む。そして該電子情報はタブレットインターフェース１２１８によって映像信号処理回路１２０７に送られる。映像信号処理回路１２０７は、読み込まれた電子情報を、ＶＲＡＭ１２１１に格納してある画像フォーマットに基づいて画像データに変換し、コントローラ１２１２に送付する。ここでコントローラ１２１２は表示装置１２１３を駆動する信号を生成し、表示装置１２１３を駆動し、表示を行っていた。
【０００７】
図１１に従来の携帯電話のブロック図を示す。図１０に示した携帯情報端末で既に図示しているものは同じ符号を付ける。
【０００８】
携帯電話は電波を送受信する送受信回路１２２４と、受信した信号を音声処理する音声処理回路１２２１、スピーカー１２２３、マイク１２２２、またデータを入力するキーボード１２２０、表示を行う表示装置１２１３、そのＥＬコントローラ１２１２、記憶装置（ＶＲＡＭ１２１１、ＤＲＡＭ１２０９、フラッシュメモリ１２１０など）から成っている。
【０００９】
図１１に示した携帯電話において、キーボードインターフェース１２３８と、映像信号処理回路１２０７と、ＶＲＡＭ１２１１と、ＥＬコントローラー１２１２の動作は、図１０に示した携帯情報端末の場合と同じである。ただ違うのは、ユーザーの指示がキーボード１２２０において電子情報として読み込まれるところである。
【００１０】
図１１における送受信回路１２２４の詳しい構成を、図１２に示す。アンテナ１３０２において音声情報を有する電子情報が受信される。そして、フィルタ１３０３において該電子情報のうち必要なデータだけが取り出され、スイッチ１３０４を介してアンプ１３０５に入力される。アンプ１３０５に入力されたデータは増幅されてフィルタ１３０７に入力される。フィルタ１３０３において不必要な情報がカットされたデータは、第１周波数変換回路１３０９において周波数を高くされ、フィルタ１３１２に入力される。
【００１１】
フィルタ１３１２において不必要な情報がカットされたデータは、第２周波数変換回路１３１３において再びその周波数を高くされ、フィルタ１３１６に入力される。
【００１２】
フィルタ１３１６において不必要な情報がカットされたデータは、アンプ１３１７において増幅され、データ復調回路１３１８に入力される。
【００１３】
データ復調回路１３１８は符号化されたデータを解いてＣＰＵ１２０６に入力する。
【００１４】
逆にＣＰＵから送られてきたデータは、データ変調回路１３１９に入力され符号化される。符号化されたデータは直交変換器１３１５において位相が調整され、かつその周波数を高くされて、周波数変換回路１３１１に入力される。
【００１５】
周波数変換回路１３１１に入力されたデータは、その周波数を高くされてフィルタ１３０８に入力される。フィルタ１３０８において不必要な情報がカットされたデータは、アンプ１３０６において増幅され、スイッチ１３０４を介してフィルタ１３０３に入力される。
【００１６】
フィルタ１３０３において不必要な情報がカットされたデータは、アンテナ１３０２において発信される。
【００１７】
従来のデジタル方式で駆動する、ＥＬ素子を有する表示装置の概略図を、図１３に示す。表示装置は、画素部９００３と、ソース信号線駆動回路９００１と、ゲート信号線駆動回路９００２とが配置されている。
【００１８】
画素部９００３は、複数の画素９００４を有している。ソース信号線駆動回路９００１は、シフトレジスタ回路９００１−１、ラッチ回路Ａ９００１−２、ラッチ回路Ｂ９００１−３を有している。またゲート信号線駆動回路９００２は、シフトレジスタ回路９００２−１、バッファ回路９００２−１を有している。
【００１９】
図１４に画素９００４の回路図を示す。画素９００４は、ソース信号線９００５の１つと、電源供給線９００６の１つと、ゲート信号線９００７の１つとを有している。また画素９００４はスイッチング用ＴＦＴ９００８とＥＬ駆動用ＴＦＴ９００９とを有している。スイッチング用ＴＦＴ９００８のゲート電極は、ゲート信号線９００７に接続されている。スイッチング用ＴＦＴ９００８のソース領域とドレイン領域は、一方がソース信号線９００５に、もう一方がＥＬ駆動用ＴＦＴ９００９のゲート電極、各画素が有するコンデンサ９０１０にそれぞれ接続されている。
【００２０】
コンデンサ９０１０はスイッチング用ＴＦＴ９００８が非選択状態（オフ状態）にある時、ＥＬ駆動用ＴＦＴ９００９のゲート電圧（ゲート電極とソース領域間の電位差）を保持するために設けられている。
【００２１】
また、ＥＬ駆動用ＴＦＴ９００９のソース領域とドレイン領域は、一方が電源供給線９００６に接続され、もう一方はＥＬ素子９０１１に接続される。電源供給線９００６はコンデンサ９０１０に接続されている。
【００２２】
ＥＬ素子９０１１は陽極と陰極と、陽極と陰極との間に設けられたＥＬ層とからなる。陽極がＥＬ駆動用ＴＦＴ９００９のソース領域またはドレイン領域と接続している場合、陽極が画素電極、陰極が対向電極となる。逆に陰極がＥＬ駆動用ＴＦＴ９００９のソース領域またはドレイン領域と接続している場合、陰極が画素電極、陽極が対向電極となる。
【００２３】
ＥＬ素子９０１１の対向電極には対向電位が与えられている。また電源供給線Ｖは電源電位が与えられている。電源電位と対向電位は、表示装置の外付けのＩＣに設けられた電源によって与えられる。
【００２４】
ソース信号線駆動回路９００１が有するシフトレジスタ回路９００１−１にクロック信号（ＣＫ）、スタートパルス（ＳＰ）が入力される。シフトレジスタ回路９００１−１は、これらのクロック信号（ＣＫ）およびスタートパルス（ＳＰ）に基づきタイミング信号を順に発生させ、ラッチ回路Ａ９００１−２へタイミング信号を順次供給する。
【００２５】
ラッチ回路Ａ９００１−２は、デジタルビデオ信号を記憶する複数のラッチを有している。ラッチ回路Ａ９００１−２は、前記タイミング信号が入力されると、デジタルビデオ信号を各ラッチに順次取り込み、保持する。
【００２６】
ラッチ回路Ａ９００１−２の全てのラッチにデジタルビデオ信号の書き込みが一通り終了するまでの時間は、ライン期間と呼ばれる。実際には、上記ライン期間に水平帰線期間が加えられた期間をライン期間と呼ぶこともある。
【００２７】
１ライン期間の終了後、ラッチ回路Ｂ９００１−３にラッチシグナル（Latch Signal）が供給される。この瞬間、ラッチ回路Ａ９００１−２に書き込まれ保持されているデジタルビデオ信号は、ラッチ回路Ｂ９００１−３に一斉に送出され、ラッチ回路Ｂ９００１−３の全てのラッチに書き込まれ、保持される。
【００２８】
デジタルビデオ信号をラッチ回路Ｂ９００１−３に送出し終えたラッチ回路Ａ９００１−２に、シフトレジスタ回路９００１−１からのタイミング信号に基づき、再びデジタルビデオ信号が順次書き込まれる。
【００２９】
この２順目の１ライン期間中には、ラッチ回路Ｂ９００１−３に書き込まれ、保持されているデジタルビデオ信号が、順次ソース信号線９００５に供給される。
【００３０】
一方ゲート信号線駆動回路９００２内のシフトレジスタ回路９００２−１にクロック信号（ＣＬＫ）、スタートパルス信号（ＳＰ）が入力されると、スイッチング用ＴＦＴ９００８のスイッチングを制御する選択信号が生成される。選択信号はバッファ回路９００２−２において緩衝増幅され、ゲート信号線９００７に入力される。
【００３１】
ゲート信号線９００７に入力された選択信号によって、スイッチング用ＴＦＴ９００８がオンの状態になり、ソース信号線に入力されたデジタルビデオ信号がスイッチング用ＴＦＴを介してＥＬ駆動用ＴＦＴ９００９のゲート電極に入力される。
【００３２】
ＥＬ駆動用ＴＦＴ９００９のゲート電極に入力されたデジタルビデオ信号が有する、１または０の情報によって、ＥＬ駆動用ＴＦＴのスイッチングが制御される。ＥＬ駆動用ＴＦＴがオフの状態のときは電源供給線９００６の電位がＥＬ素子９０１１が有する画素電極に与えられないので、ＥＬ素子は発光しない。またＥＬ駆動用ＴＦＴがオンの状態のときは電源供給線９００６の電位がＥＬ素子９０１１が有する画素電極に与えられ、ＥＬ素子が発光する。
【００３３】
各画素において上記動作が行われることで１つの画像が表示される。
【発明の概要】
【発明が解決しようとする課題】
【００３４】
以上に述べたような従来の情報端末機器では、表示画面を表示する場合、たとえその画面が静止画面であっても、同一の映像のデータを１秒間に６０回づつ、表示装置に送くり続けていた。即ち、ＣＰＵ１２０６にある映像信号処理回路１２０７、ＶＲＡＭ１２１１、コントローラ１２１２、および表示装置１２１３が有するソース信号線駆動回路、ゲート信号線駆動回路は表示を行っている限り、動作を行っていた。
【００３５】
画素数の少ないパッシブ型の表示装置においては、メモリを表示装置のドライバＩＣもしくはＥＬコントローラの中に内蔵し、ＶＲＡＭを停止するものも存在するが、アクティブマトリクスのような多数の画素を用いる表示装置では、ドライバ内もしくはコントローラ内にメモリを有するのはチップサイズの観点から、非現実的である。よって、従来の情報端末機器では、静止画を表示する場合においても、多くの回路は動作を続けねばならず、消費電力の低減に対して、妨げとなっていた。
【００３６】
携帯情報端末においては、低消費電力化が大きく望まれている。さらに、このモバイル機器においては、静止画モードで使用されることが大部分を占めているにもかかわらず、前述のように駆動回路は静止画表示の際にも動作し続けているため、低消費電力化への足かせとなっている。
【００３７】
本発明は前述のような問題点を鑑み、新規の回路を用いることにより、静止画の表示時における駆動回路の消費電力を低減することを課題とする。
【課題を解決するための手段】
【００３８】
前述の課題を解決するために、本発明では次のような手段を用いた。
【００３９】
画素内に複数の記憶回路を配置し、画素毎にデジタル映像信号を記憶させる。
静止画の場合、一度書き込みを行えば、それ以降、画素に書き込まれる情報は同様であるので、フレーム毎に信号の入力を行わなくとも、記憶回路に記憶されている信号を読み出すことによって静止画を継続的に表示することができる。すなわち、静止画を表示する際は、最低１フレーム分の信号の処理動作を行って以降は、ソース信号線駆動回路を停止させておくことが可能となり、それに伴って電力消費を大きく低減することが可能となる。
【００４０】
以下に、本発明のＥＬ表示装置の構成について記載する。
【００４１】
本発明によって、  表示装置とそのコントローラを有する携帯情報装置において、  前記表示装置は記憶回路とＥＬ素子とをそれぞれ含む複数の画素を有し、  前記表示装置が静止画を表示するとき、前記表示装置と前記コントローラ以外の映像表示機能を停止することを特徴とした携帯情報装置が提供される。
【００４２】
本発明によって、  表示装置とそのコントローラを有する携帯情報装置において、  前記表示装置は記憶回路とＥＬ素子と前記ＥＬ素子に流れる電流を制御するＴＦＴとをそれぞれ含む複数の画素を有し、  前記表示装置が静止画を表示するとき、前記表示装置と前記コントローラ以外の映像表示機能を停止することを特徴とした携帯情報装置が提供される。
【００４３】
前記コントローラは表示装置のクロック発生回路であっても良い。
【００４４】
本発明によって、  表示装置を有する携帯情報装置において、  前記表示装置は記憶回路とＥＬ素子とをそれぞれ含む複数の画素を有し、  前記表示装置が静止画を表示するとき、映像情報を有する信号が前記表示装置の外部から前記表示装置に入力されないことを特徴とした携帯情報装置が提供される。
【００４５】
本発明によって、  表示装置を有する携帯情報装置において、  前記表示装置は記憶回路とＥＬ素子と前記ＥＬ素子に流れる電流を制御するＴＦＴとをそれぞれ含む複数の画素を有し、  前記表示装置が静止画を表示するとき、映像情報を有する信号が前記表示装置の外部から前記表示装置に入力されないことを特徴とした携帯情報装置が提供される。
【００４６】
本発明によって、  表示装置とＣＰＵを有する携帯情報装置において、  前記表示装置は、記憶回路とＥＬ素子とをそれぞれ含む複数の画素を有し、  前記表示装置が静止画を表示するとき、前記ＣＰＵの映像表示機能を停止することを特徴とした携帯情報装置が提供される。
【００４７】
本発明によって、  表示装置とＣＰＵを有する携帯情報装置において、  前記表示装置は、記憶回路とＥＬ素子と前記ＥＬ素子に流れる電流を制御するＴＦＴとをそれぞれ含む複数の画素を有し、  前記表示装置が静止画を表示するとき、前記ＣＰＵの映像表示機能を停止することを特徴とした携帯情報装置が提供される。
【００４８】
本発明によって、  表示装置とＶＲＡＭを有する携帯情報装置において、  前記表示装置は、記憶回路とＥＬ素子とをそれぞれ含む複数の画素を有し、  前記表示装置が静止画を表示するとき、前記ＶＲＡＭに記憶されているデータの呼び出しを停止することを特徴とした携帯情報装置が提供される。
【００４９】
本発明によって、  表示装置とＶＲＡＭを有する携帯情報装置において、  前記表示装置は、記憶回路とＥＬ素子と前記ＥＬ素子に流れる電流を制御するＴＦＴとをそれぞれ含む複数の画素を有し、  前記表示装置が静止画を表示するとき、前記ＶＲＡＭに記憶されているデータの呼び出しを停止することを特徴とした携帯情報装置が提供される。
【００５０】
本発明によって、  表示装置を有する携帯情報装置において、  前記表示装置は、記憶回路とＥＬ素子とをそれぞれ含む複数の画素を有し、  前記表示装置が静止画を表示するとき、前記表示装置のソース信号線駆動回路を停止することを特徴とした携帯情報装置が提供される。
【００５１】
本発明によって、  表示装置を有する携帯情報装置において、  前記表示装置は、記憶回路とＥＬ素子と前記ＥＬ素子に流れる電流を制御するＴＦＴとをそれぞれ含む複数の画素を有し、  前記表示装置が静止画を表示するとき、前記表示装置のソース信号線駆動回路を停止することを特徴とした携帯情報装置が提供される。
【００５２】
前記記憶回路が１フレーム期間に１度呼び出されることを特徴としていても良い。
【００５３】
本発明によって、  表示装置を有する携帯情報装置において、  前記表示装置は複数の画素を有し、  前記複数の画素は、記憶回路とＥＬ素子とを有し、  前記複数の画素のうち、特定の行または列の画素が有する記憶回路に記憶されているデータを書き換える手段を有することを特徴とした携帯情報装置が提供される。
【００５４】
本発明によって、  表示装置を有する携帯情報装置において、  前記表示装置は複数の画素を有し、  前記複数の画素は、記憶回路とＥＬ素子と前記ＥＬ素子に流れる電流を制御するＴＦＴとを有し、  前記複数の画素のうち、特定の行または列の画素が有する記憶回路に記憶されているデータを書き換える手段を有することを特徴とした携帯情報装置が提供される。
【００５５】
前記携帯情報装置は、携帯電話、パーソナルコンピュータ、ナビゲーションシステム、ＰＤＡまたは電子書籍であっても良い。
【発明の効果】
【００５６】
各画素の内部に配置された複数の記憶回路を用いてデジタル映像信号の記憶を行うことにより、静止画を表示する際に各フレーム期間で記憶回路に記憶されたデジタル映像信号を反復して用い、継続的に静止画を表示する際に、ソース信号線駆動回路を停止させておくことが可能となる。よって、ＥＬ表示装置全体の低消費電力化に大きく貢献することが出来る。
【図面の簡単な説明】
【００５７】
【図１】本発明の携帯情報端末の構成を示すブロック図。
【図２】本発明の携帯電話の構成を示すブロック図。
【図３】本発明の表示装置の画素回路図。
【図４】本発明の表示装置の駆動回路のブロック図。
【図５】本発明の表示装置の上面図と断面図。
【図６】本発明の構成を有する携帯電話の外観図。
【図７】本発明の構成を有する携帯電話の外観図。
【図８】本発明の構成を有する携帯電話の外観図。
【図９】本発明の構成を有する携帯電話の外観図。
【図１０】従来の携帯情報端末の構成を示すブロック図。
【図１１】従来の携帯電話の構成を示すブロック図。
【図１２】送受信回路の構成を示すブロック図。
【図１３】従来の表示装置のブロック図。
【図１４】従来の表示装置の画素回路図。
【図１５】３重項ＥＬ材料の応答時間を示す図。
【図１６】本発明の表示装置の画素上面図。
【発明を実施するための形態】
【００５８】
図１は本発明の構成を示したものである。本発明では、静止画を表示する場合、表示装置２２１３の画素の内部にある記憶回路に映像信号を記憶させ、記憶した映像信号を呼び出すことによって、表示を行う。よって、従来、動作させていたCPU２１０６の内部回路のうち、映像信号処理回路２１０７、VRAM２１１１、表示装置２２１３の中のソース信号線駆動回路を駆動させなくても、静止画像を表示することが可能となる。なお、外部インターフェイスポート２１０５を介して、外部機器からユーザーが必要に応じて求める情報を引き出すことができる。
また携帯情報端末に差し込まれるメモリーカード２１０３に記憶されている情報も引き出すことが可能である。２１０４は電源である。
【００５９】
以下その内容について、具体的に説明を行う。
【００６０】
ペン入力タブレット２１０１からの入力が一定時間の間行われない、もしくは外部入力端子から映像表示を変えなければならないような信号入力が一定時間されない場合、CPU２１０６は静止画モードであると判断を行う。
【００６１】
CPU２１０６がそのような判断を行った場合、CPU２１０６は以下のような動作を行う。ＥＬコントローラ２１１２を介して、表示装置２２１３のソース信号線駆動回路を停止させる。具体的には、ソース信号線駆動回路へのスタートパルス、クロック信号、映像データ信号の供給を停止することによって、ソース信号線駆動回路の動作を停止させることができる。このときゲート信号線駆動回路は停止はせずに、信号の供給を受け、表示装置２２１３内の画素部に設けられた記憶回路のデータを、各画素の画素電極に供給する作用を行う。
【００６２】
ゲート信号線駆動回路はソース信号線駆動回路にくらべて、一般的には、１／１００以下の周波数で駆動されるため、動作を停止しなくとも、消費電力の面では問題にならない。もちろん、ゲート信号線駆動回路を停止してもよい。このような動作によって、表示装置はゲート信号線駆動回路のみ、または、両方の信号線駆動回路を停止させて、表示を行う。
【００６３】
次に、CPU２１０６は、CPU２１０６内部の信号処理回路および、VRAM２１１１を停止する。前述したように、表示装置２２１３は、その内部の記憶回路に蓄えられた映像データで表示を行っているので、静止画を表示する場合、新たに映像データを表示装置２２１３に送り込む必要性がない。よって、映像データを発生、加工する映像信号処理回路２１０７、タブレットインターフェース２１１８、VRAM２１１１などは動作していなくとも良い。またＤＲＡＭ２１０９とフラッシュメモリ２１１０などの、ユーザーの求める情報を保持している記憶回路にアクセスする必要もない。
【００６４】
以上により、CPU２１０６内部の電力削減、VRAM２１１１の電力削減、ソース信号線駆動回路の電力削減が達成される。
【００６５】
また、ペン入力タブレット２１０１などの外部入力端子から再び信号が入力された場合は、ペン入力タブレット２１０１の検出回路２１０２からCPU２１０６に対して、表示内容を変えるような指示が出される。するとCPU２１０６は停止していたVRAM２１１１、タブレットインターフェース２１１８、映像信号処理回路２１０７を動作させる。そして、ＥＬコントローラ２１１２を介して、表示装置２２１３のソース信号線駆動回路にスタートパルス、クロック信号、映像データを供給し、新たな映像信号を画素に書き込むことができる。
【００６６】
図２は本発明を使用した携帯電話の例である。動作概要は図１の携帯情報端末とおおよそ同じである。携帯情報端末と異なるのは、携帯電話では、入力は、キーボードによって行われ、外部からのデータは、電話会社の通信系を介して、アンテナに入力され、図１２に示す送受信回路で増幅されたのち、CPUで制御され、表示装置に送られることである。静止画を表示する場合は、携帯情報端末と同様に、映像信号処理回路、VRAM、ソース信号線駆動回路などは停止させることができる。
【００６７】
以下に本発明の実施例について記述する。
【実施例１】
【００６８】
本実施例では、本発明の構成を有する携帯電話の構成について説明する。
【００６９】
図２に本実施例の携帯電話のブロック図を示す。図１に示した携帯情報端末で既に図示しているものは同じ符号を付ける。
【００７０】
携帯電話は電波を送受信する送受信回路２１２４と、受信した信号を音声処理する音声処理回路２１２１、スピーカー２１２３、マイク２１２２、またデータを入力するキーボード２１２０、表示を行う表示装置２１１３、そのＥＬコントローラ２１１２、記憶装置（ＶＲＡＭ２１１１、ＤＲＡＭ２１０９、フラッシュメモリ２１１０など）から成っている。
【００７１】
図２に示した携帯電話において、キーボードインターフェース２１３８と、映像信号処理回路２１０７と、ＶＲＡＭ２１１１と、ＥＬコントローラー２１１２の動作は、図１に示した携帯情報端末の場合と同じである。ただ違うのは、ユーザーの指示がキーボード２１２０において電子情報として読み込まれるところである。また外部からのデータは、電話会社の通信系を介して、アンテナに入力され、図２に示す送受信回路２２２４で増幅されたのち、CPU２１０６で制御され、表示装置２２１３に送られる。
【００７２】
キーボード２２２０からの入力が一定時間の間行われない、もしくは外部入力端子から映像表示を変えなければならないような信号入力が一定時間されない場合、CPU２１０６は静止画モードであると判断を行う。
【００７３】
CPU２１０６がそのような判断を行った場合、CPU２１０６は以下のような動作を行う。ＥＬコントローラ２１１２を介して、表示装置２２１３のソース信号線駆動回路を停止させる。具体的には、ソース信号線駆動回路へのスタートパルス、クロック信号、映像データ信号の供給を停止することによって、ソース信号線駆動回路の動作を停止させることができる。このときゲート信号線駆動回路は停止はせずに、信号の供給を受け、表示装置２２１３内の画素部に設けられた記憶回路のデータを、各画素の画素電極に供給する作用を行う。
【００７４】
ゲート信号線駆動回路はソース信号線駆動回路にくらべて、一般的には、１／１００以下の周波数で駆動されるため、動作を停止しなくとも、消費電力の面では問題にならない。もちろん、ゲート信号線駆動回路を停止してもよい。このような動作によって、表示装置はゲート信号線駆動回路のみ、または、両方の信号線駆動回路を停止させて、表示を行う。
【００７５】
次に、CPU２１０６は、CPU２１０６内部の信号処理回路および、VRAM２１１１を停止する。前述したように、表示装置２２１３は、その内部の記憶回路に蓄えられた映像データで表示を行っているので、静止画を表示する場合、新たに映像データを表示装置２２１３に送り込む必要性がない。よって、映像データを発生、加工する映像信号処理回路２１０７、キーボードインターフェース２１３８、VRAM２１１１などは動作していなくとも良い。またＤＲＡＭ２１０９とフラッシュメモリ２１１０などの、ユーザーの求める情報を保持している記憶回路にアクセスする必要もない。
【００７６】
以上により、CPU２１０６内部の電力削減、VRAM２１１１の電力削減、ソース信号線駆動回路の電力削減が達成される。
【００７７】
また、キーボード２２２０などの外部入力端子から再び信号が入力された場合は、キーボード２２２０からCPU２１０６に対して、表示内容を変えるような指示が出される。するとCPU２１０６は停止していたVRAM２１１１、キーボードインターフェース２１３８、映像信号処理回路２１０７を動作させる。そして、ＥＬコントローラ２１１２を介して、表示装置２２１３のソース信号線駆動回路にスタートパルス、クロック信号、映像データを供給し、新たな映像信号を画素に書き込むことができる。
【実施例２】
【００７８】
本実施例では、本発明で用いられる表示装置が有する画素部の詳しい構成について説明する。
【００７９】
画素部にはマトリクス状に複数の画素が配列される。本実施例の画素７０４の拡大図を図３に示す。画素７０４には、スイッチング用ＴＦＴ７０５と、ＥＬ駆動用ＴＦＴ７０６と、ＳＲＡＭ７０７と、対向電極と画素電極の間にＥＬを挟んだＥＬ素子７０８とが設けられている。
【００８０】
スイッチング用ＴＦＴ７０５のゲート電極は、ゲート信号線７０９に接続されている。また、スイッチング用ＴＦＴ７０５のソース領域とドレイン領域は、一方はソース信号線７１０に、もう一方はＳＲＡＭ７０７の入力側に接続されている。
【００８１】
ＳＲＡＭ７０７はｐチャネル型ＴＦＴとｎチャネル型ＴＦＴを２つづつ有しており、ｐチャネル型ＴＦＴのソース領域は高電圧側電源線７１１に接続され、電圧Ｖｄｄｈに保たれている。またｎチャネル型ＴＦＴのソース領域は低電圧側電源線７１２に接続されており、電圧Ｖｓｓに保たれている。なおＶｄｄｈ＞Ｖｓｓである。１つのｐチャネル型ＴＦＴと１つのｎチャネル型ＴＦＴとが対になっており、１つのＳＲＡＭの中にｐチャネル型ＴＦＴとｎチャネル型ＴＦＴとの対が２組存在することになる。
【００８２】
対になったｐチャネル型ＴＦＴとｎチャネル型ＴＦＴは、そのドレイン領域が互いに接続されている。また対になったｐチャネル型ＴＦＴとｎチャネル型ＴＦＴは、そのゲート電極が互いに接続されている。そして互いに一方の対のｐチャネル型及びｎチャネル型ＴＦＴのドレイン領域が、もう一方の対のｐチャネル型及びｎチャネル型ＴＦＴのゲート電極と同じ電位に保たれている。そして一方の対のｐチャネル型及びｎチャネル型ＴＦＴのドレイン領域は入力の信号（Ｖｉｎ）が入る入力側であり、もう一方の対のｐチャネル型及びｎチャネル型ＴＦＴのドレイン領域は出力の信号（Ｖｏｕｔ）が出力される出力側である。
【００８３】
ＳＲＡＭはＶｉｎを保持し、Ｖｉｎを反転させた信号であるＶｏｕｔを出力するように設計されている。つまり、ＶｉｎがＨｉだとＶｏｕｔはＶｓｓ相当のＬｏの信号となり、ＶｉｎがＬｏだとＶｏｕｔはＶｄｄｈ相当のＨｉの信号となる。
【００８４】
ＳＲＡＭ７０７の出力側は、ＥＬ駆動用ＴＦＴ７０６のゲート電極に接続されている。ＥＬ駆動用ＴＦＴ７０６のソース領域は電源供給線７１３に、ドレイン領域はＥＬ素子７０８が有する画素電極に接続されている。
【００８５】
ゲート信号線７０９に入力される選択信号により、スイッチング用ＴＦＴ７０５はオンの状態になる。そしてソース信号線７１０に入力されたデジタルビデオ信号は、スイッチング用ＴＦＴ７０５を介してＳＲＡＭ７０７の入力側にＶｉｎとして入力される。
【００８６】
入力されたデジタルビデオ信号は、次のデジタルビデオ信号が入力されるまで保持される。またＳＲＡＭはＤＲＡＭに比べてデジタルビデオ信号の書き込みにかかる時間が短く、高速でデータの書き込みを行うことが可能である。
【００８７】
デジタルビデオ信号は、１または０の情報を有しており、ＳＲＡＭ７０７に入力されたデジタルビデオ信号は、その情報が反転して出力される。例えば１の情報を有するデジタルビデオ信号がＳＲＡＭ７０７に入力されると、０の情報を有するデジタルビデオ信号がＳＲＡＭ７０７の出力側からＶｏｕｔとして出力される。逆に０の情報を有するデジタルビデオ信号がＳＲＡＭ７０７に入力されると、１の情報を有するデジタルビデオ信号がＳＲＡＭ７０７の出力側からＶｏｕｔとして出力される。
【００８８】
ＳＲＡＭ７０７の出力側から出力されたデジタルビデオ信号は、ＥＬ駆動用ＴＦＴ７０６のゲート電極に入力される。そしてＥＬ駆動用ＴＦＴ７０６は、ゲート電極に入力されたデジタルビデオ信号が有する１または０の情報に従って、オンまたはオフの状態になる。
【００８９】
ＥＬ駆動用ＴＦＴ７０６がオフの状態になると、電源供給線７１３の電源電位がＥＬ素子７０８の画素電極に与えられないので、ＥＬ素子７０８は発光しない。逆にＥＬ駆動用ＴＦＴ７０６がオンの状態になると、電源供給線７１３の電源電位がＥＬ素子７０８の画素電極に与えられるので、ＥＬ素子７０８は発光する。
【００９０】
そして同様に、全ての画素にデジタルビデオ信号が入力されることによって、各画素の有するＥＬ素子が発光するかしないかが選択される。
【００９１】
さらに全てのビットのデジタルビデオ信号が全ての画素に入力されると、１つの画像が表示される。１フレーム期間中に各画素のＥＬ素子が発光する長さを制御することによって階調表示を行ってもよいし、複数の画素を１つの単位とし、発光しているＥＬ素子を有する画素の面積を制御することで階調表示を行っても良い。
【００９２】
本発明においてＳＲＡＭを画素中に設けることで、画素に入力されたデジタルビデオ信号を、次のデジタルビデオ信号が入力されるまでより確実に保持することが可能になる。すなわち、ＥＬ駆動用ＴＦＴのゲート電極において保持される電荷がスイッチング用ＴＦＴのリーク電流によって減少するのを防ぎ、ＥＬ素子の発光輝度が低下することを防ぐことが可能になる。
【００９３】
なお揮発性のメモリはＴＦＴを用いて形成することが可能なため、スイッチング用ＴＦＴ及びＥＬ駆動用ＴＦＴと同時に形成することが可能である。
【００９４】
なお本願発明において、保持容量は積極的に設けなくとも良い。保持容量を設けない場合、デジタルビデオ信号を画素に入力する時間を短くすることが可能になる。そのためＥＬディスプレイの画素数が増加しても、書き込み期間の長さを抑えることができる。
【００９５】
なお本実施例は、実施例１に示した構成と自由に組み合わせて実施することが可能である
【実施例３】
【００９６】
本実施例では、本発明で用いられる表示装置の駆動回路について説明する。図４（Ａ）にソース信号線駆動回路のブロック図を示す。
【００９７】
ソース信号線駆動回路は、シフトレジスタ回路７６１、ラッチ回路Ａ  ７６２、ラッチ回路Ｂ７６３、Ｄ／Ａ変換回路７６４を有している。
【００９８】
ソース信号線駆動回路が有するシフトレジスタ回路７６１にクロック信号（ＣＫ）、スタートパルス（ＳＰ）が入力される。シフトレジスタ回路７６１は、これらのクロック信号（ＣＫ）およびスタートパルス（ＳＰ）に基づきタイミング信号を順に発生させ、ラッチ回路Ａ７６２へタイミング信号を順次供給する。
【００９９】
ラッチ回路Ａ７６２は、デジタルビデオ信号を記憶する複数のラッチを有している。ラッチ回路Ａ７６２は、前記タイミング信号が入力されると、デジタルビデオ信号を各ラッチに順次取り込み、保持する。
【０１００】
ラッチ回路Ａ７６２の全てのラッチにデジタルビデオ信号の書き込みが一通り終了するまでの時間は、ライン期間と呼ばれる。実際には、上記ライン期間に水平帰線期間が加えられた期間をライン期間と呼ぶこともある。
【０１０１】
１ライン期間の終了後、ラッチ回路Ｂ７６３にラッチシグナル（Latch Signal）が供給される。この瞬間、ラッチ回路Ａ７６２に書き込まれ保持されているデジタルビデオ信号は、ラッチ回路Ｂ７６３に一斉に送出され、ラッチ回路Ｂ７６３の全てのラッチに書き込まれ、保持される。
【０１０２】
デジタルビデオ信号をラッチ回路Ｂ７６３に送出し終えたラッチ回路Ａ７６２に、シフトレジスタ回路７６１からのタイミング信号に基づき、再びデジタルビデオ信号が順次書き込まれる。
【０１０３】
この２順目の１ライン期間中には、ラッチ回路Ｂ７６３に書き込まれ、保持されているデジタルビデオ信号が、順次ソース信号線に供給される。
【０１０４】
図４（Ｂ）にゲート信号線駆動回路のブロック図を示す。ゲート信号線駆動回路は、シフトレジスタ回路７６６、バッファ回路７６７を有している。ゲート信号線駆動回路内のシフトレジスタ回路７６６にクロック信号（ＣＬＫ）、スタートパルス信号（ＳＰ）が入力されると、画素ＴＦＴのスイッチングを制御する選択信号が生成される。選択信号はバッファ回路７６７において緩衝増幅され、ゲート信号線に入力される。
【０１０５】
なお本実施例は、実施例１または実施例２と自由に組み合わせて実施することが可能である。
【実施例４】
【０１０６】
本実施例では、本発明を用いてＥＬ表示装置を作製した例について、図５を用いて説明する。
【０１０７】
図５（Ａ）は、ＥＬ素子が設けられたＴＦＴ基板をシーリング材によって封止することによって形成されたＥＬ表示装置の上面図であり、図５（Ｂ）は、図５（Ａ）のＡ−Ａ’における断面図、図５（Ｃ）は図５（Ａ）のＢ−Ｂ’における断面図である。
【０１０８】
基板４００１上に設けられた画素部４００２と、ソース信号線駆動回路４００３と、第１及び第２のゲート信号線駆動回路４００４ａ、ｂとを囲むようにして、シール材４００９が設けられている。また画素部４００２と、ソース信号線駆動回路４００３と、第１及び第２のゲート信号線駆動回路４００４ａ、ｂとの上にシーリング材４００８が設けられている。よって画素部４００２と、ソース信号線駆動回路４００３と、第１及び第２のゲート信号線駆動回路４００４ａ、ｂとは、基板４００１とシール材４００９とシーリング材４００８とによって、充填材４２１０で密封されている。
【０１０９】
また基板４００１上に設けられた画素部４００２と、ソース信号線駆動回路４００３と、第１及び第２のゲート信号線駆動回路４００４ａ、ｂとは、複数のＴＦＴを有している。図５（Ｂ）では代表的に、下地膜４０１０上に形成された、ソース信号線駆動回路４００３に含まれる駆動ＴＦＴ（但し、ここではｎチャネル型ＴＦＴとｐチャネル型ＴＦＴを図示する）４２０１及び画素部４００２に含まれるＥＬ駆動用ＴＦＴ（ＥＬ素子への電流を制御するＴＦＴ）４２０２を図示した。
【０１１０】
本実施例では、駆動ＴＦＴ４２０１には公知の方法で作製されたｐチャネル型ＴＦＴまたはｎチャネル型ＴＦＴが用いられ、ＥＬ駆動用ＴＦＴ４２０２には公知の方法で作製されたｐチャネル型ＴＦＴが用いられる。また、画素部４００２にはＥＬ駆動用ＴＦＴ４２０２のゲートに接続された保持容量（図示せず）が設けられる。
【０１１１】
駆動ＴＦＴ４２０１及びＥＬ駆動用ＴＦＴ４２０２上には層間絶縁膜（平坦化膜）４３０１が形成され、その上にＥＬ駆動用ＴＦＴ４２０２のドレインと電気的に接続する画素電極（陽極）４２０３が形成される。画素電極４２０３としては仕事関数の大きい透明導電膜が用いられる。透明導電膜としては、酸化インジウムと酸化スズとの化合物、酸化インジウムと酸化亜鉛との化合物、酸化亜鉛、酸化スズまたは酸化インジウムを用いることができる。また、前記透明導電膜にガリウムを添加したものを用いても良い。
【０１１２】
そして、画素電極４２０３の上には絶縁膜４３０２が形成され、絶縁膜４３０２は画素電極４２０３の上に開口部が形成されている。この開口部において、画素電極４２０３の上にはＥＬ（エレクトロルミネッセンス）層４２０４が形成される。ＥＬ層４２０４は公知の有機ＥＬ材料または無機ＥＬ材料を用いることができる。また、有機ＥＬ材料には低分子系（モノマー系）材料と高分子系（ポリマー系）材料があるがどちらを用いても良い。
【０１１３】
ＥＬ層４２０４の形成方法は公知の蒸着技術もしくは塗布法技術を用いれば良い。また、ＥＬ層の構造は正孔注入層、正孔輸送層、発光層、電子輸送層または電子注入層を自由に組み合わせて積層構造または単層構造とすれば良い。
【０１１４】
ＥＬ層４２０４の上には遮光性を有する導電膜（代表的にはアルミニウム、銅もしくは銀を主成分とする導電膜またはそれらと他の導電膜との積層膜）からなる陰極４２０５が形成される。また、陰極４２０５とＥＬ層４２０４の界面に存在する水分や酸素は極力排除しておくことが望ましい。従って、ＥＬ層４２０４を窒素または希ガス雰囲気で形成し、酸素や水分に触れさせないまま陰極４２０５を形成するといった工夫が必要である。本実施例ではマルチチャンバー方式（クラスターツール方式）の成膜装置を用いることで上述のような成膜を可能とする。そして陰極４２０５は所定の電圧が与えられている。
【０１１５】
以上のようにして、画素電極（陽極）４２０３、ＥＬ層４２０４及び陰極４２０５からなるＥＬ素子４３０３が形成される。そしてＥＬ素子４３０３を覆うように、絶縁膜４３０２上に保護膜４３０３が形成されている。保護膜４３０３は、ＥＬ素子４３０３に酸素や水分等が入り込むのを防ぐのに効果的である。
【０１１６】
４００５ａは電源供給線に接続された引き回し配線であり、ＥＬ駆動用ＴＦＴ４２０２のソース領域に電気的に接続されている。引き回し配線４００５ａはシール材４００９と基板４００１との間を通り、異方導電性フィルム４３００を介してＦＰＣ４００６が有するＦＰＣ用配線４３０１に電気的に接続される。
【０１１７】
シーリング材４００８としては、ガラス材、金属材（代表的にはステンレス材）、セラミックス材、プラスチック材（プラスチックフィルムも含む）を用いることができる。プラスチック材としては、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）
フィルム、マイラーフィルム、ポリエステルフィルムまたはアクリル樹脂フィルムを用いることができる。また、アルミニウムホイルをＰＶＦフィルムやマイラーフィルムで挟んだ構造のシートを用いることもできる。
【０１１８】
但し、ＥＬ素子からの光の放射方向がカバー材側に向かう場合にはカバー材は透明でなければならない。その場合には、ガラス板、プラスチック板、ポリエステルフィルムまたはアクリルフィルムのような透明物質を用いる。
【０１１９】
また、充填材４１０３としては窒素やアルゴンなどの不活性な気体の他に、紫外線硬化樹脂または熱硬化樹脂を用いることができ、ＰＶＣ（ポリビニルクロライド）、アクリル、ポリイミド、エポキシ樹脂、シリコーン樹脂、ＰＶＢ（ポリビニルブチラル）またはＥＶＡ（エチレンビニルアセテート）を用いることができる。本実施例では充填材として窒素を用いた。
【０１２０】
また充填材４１０３を吸湿性物質（好ましくは酸化バリウム）もしくは酸素を吸着しうる物質にさらしておくために、シーリング材４００８の基板４００１側の面に凹部４００７を設けて吸湿性物質または酸素を吸着しうる物質４２０７を配置する。そして、吸湿性物質または酸素を吸着しうる物質４２０７が飛び散らないように、凹部カバー材４２０８によって吸湿性物質または酸素を吸着しうる物質４２０７は凹部４００７に保持されている。なお凹部カバー材４２０８は目の細かいメッシュ状になっており、空気や水分は通し、吸湿性物質または酸素を吸着しうる物質４２０７は通さない構成になっている。吸湿性物質または酸素を吸着しうる物質４２０７を設けることで、ＥＬ素子４３０３の劣化を抑制できる。
【０１２１】
図５（Ｃ）に示すように、画素電極４２０３が形成されると同時に、引き回し配線４００５ａ上に接するように導電性膜４２０３ａが形成される。
【０１２２】
また、異方導電性フィルム４３００は導電性フィラー４３００ａを有している。基板４００１とＦＰＣ４００６とを熱圧着することで、基板４００１上の導電性膜４２０３ａとＦＰＣ４００６上のＦＰＣ用配線４３０１とが、導電性フィラー４３００ａによって電気的に接続される。
【０１２３】
なお本実施例は、実施例１〜実施例３と自由に組み合わせて実施することが可能である。
【実施例５】
【０１２４】
本発明において、三重項励起子からの燐光を発光に利用できるＥＬ材料を用いることで、外部発光量子効率を飛躍的に向上させることができる。これにより、ＥＬ素子の低消費電力化、長寿命化、および軽量化が可能になる。
【０１２５】
ここで、三重項励起子を利用し、外部発光量子効率を向上させた報告を示す。
(T.Tsutsui, C.Adachi, S.Saito, Photochemical Processes in Organized Molecular Systems, ed.K.Honda, (Elsevier Sci.Pub., Tokyo,1991) p.437.)
【０１２６】
上記の論文により報告されたＥＬ材料（クマリン色素）の分子式を以下に示す。
【０１２７】
【化１】
0005542264.tif 000002
【０１２８】
(M.A.Baldo, D.F.O'Brien, Y.You, A.Shoustikov, S.Sibley, M.E.Thompson, S.R.Forrest, Nature 395 (1998) p.151.)
【０１２９】
上記の論文により報告されたＥＬ材料（Ｐｔ錯体）の分子式を以下に示す。
【０１３０】
【化２】
0005542264.tif 000003
【０１３１】
(M.A.Baldo, S.Lamansky, P.E.Burrrows, M.E.Thompson, S.R.Forrest, Appl.Phys.Lett.,75 (1999) p.4.) (T.Tsutsui, M.-J.Yang, M.Yahiro, K.Nakamura, T.Watanabe, T.tsuji, Y.Fukuda, T.Wakimoto, S.Mayaguchi, Jpn.Appl.Phys., 38 (12B) (1999) L1502.)      
【０１３２】
上記の論文により報告されたＥＬ材料（Ｉｒ錯体）の分子式を以下に示す。
【０１３３】
【化３】
0005542264.tif 000004
【０１３４】
以上のように三重項励起子からの燐光発光を利用できれば原理的には一重項励起子からの蛍光発光を用いる場合より３〜４倍の高い外部発光量子効率の実現が可能となる。
【０１３５】
なお本実施例は、実施例１〜実施例４と自由に組み合わせて実施することが可能である。
【実施例６】
【０１３６】
本実施例では、本発明の携帯情報端末の外観図について述べる。図６に示すのは本発明の構成を有する携帯情報端末であり、２７０１は表示用パネル、２７０２は操作用パネルである。表示用パネル２７０１と操作用パネル２７０２とは接続部２７０３において接続されている。そして接続部２７０３における、表示用パネル２７０１の表示部２７０４が設けられている面と操作用パネル２７０２の操作キー２７０６が設けられている面との角度θは、任意に変えることができる。
【０１３７】
表示用パネル２７０１は表示部２７０４を有している。また図６に示した携帯情報端末は電話としての機能を有しており、表示用パネル２７０１は音声出力部２７０５を有しており、音声が音声出力部２７０５から出力される。表示部２７０４にはＥＬディスプレイが用いられている。
【０１３８】
表示部２７０４のアスペクト比は１６：９、４：３など任意に選択することができる。表示部２７０４のサイズは対角１インチ〜４．５インチ程度が望ましい。
【０１３９】
操作用パネル２７０２は操作キー２７０６、電源スイッチ２７０７、音声入力部２７０８を有している。なお図６では操作キー２７０６と電源スイッチ２７０７とを別個に設けたが、操作キー２７０６の中に電源スイッチ２７０７が含まれる構成にしても良い。音声入力部２７０８において、音声が入力される。
【０１４０】
なお図６では表示用パネル２７０１が音声出力部２７０５を有し、操作用パネル２７０２が音声入力部２７０８を有しているが、本実施例はこの構成に限定されない。表示用パネル２７０１が音声入力部２７０８を有し、操作用パネルが音声出力部２７０５を有していても良い。また音声出力部２７０５と音声入力部２７０８とが共に表示用パネル２７０１に設けられていても良いし、音声出力部２７０５と音声入力部２７０８とが共に操作用パネル２７０２に設けられていても良い。
【０１４１】
なお図７では図６で示した携帯情報端末の操作キー２７０６を人差し指で操作している例について示した。また図８では図６で示した携帯情報端末の操作キー２７０６を親指で操作している例について示した。なお操作キー２７０６は操作用パネル２７０２の側面に設けても良い。操作は片手（きき手）の人差し指のみ、または親指のみでも可能である。
【０１４２】
なお本実施例は、実施例１〜実施例５と自由に組み合わせて実施することが可能である。
【実施例７】
【０１４３】
本実施例では、実施例６で示したものとは別の携帯を有する携帯情報端末について説明する。図９に示すのは、本実施例の携帯情報端末の外観図であり、図９（Ａ）は上面図、図９（Ｂ）は側面図を示す。
【０１４４】
２９０１は表示用パネル、２９０２は操作用パネルである。表示用パネル２９０１と操作用パネル２９０２とは接続部２９０３において接続されている。そして接続部２９０３における、表示用パネル２９０１の表示部２９０４が設けられている面と操作用パネル２９０２の操作キー２９０６が設けられている面との角度は、任意に変えることができる。
【０１４５】
表示用パネル２９０１は表示部２９０４を有している。また図９に示した携帯情報端末は電話としての機能を有しており、表示用パネル２９０１は音声出力部２９０５を有しており、音声が音声出力部２９０５から出力される。表示部２９０４には本発明の構成を有するＥＬ表示装置が用いられている。
【０１４６】
操作用パネル２９０２は操作キー２９０６、電源スイッチ２９０７、音声入力部２９０８を有している。なお図９では操作キー２９０６と電源スイッチ２９０７とを別個に設けたが、操作キー２９０６の中に電源スイッチ２９０７が含まれる構成にしても良い。音声入力部２９０８において、音声が入力される。
【０１４７】
また、ＣＣＤ受光部２９１０から画像を電子情報として携帯情報端末に取り入れることができる。
【０１４８】
２９１１は外部接続ポートであり、外部からのデータを取り入れることが可能である。また２９０９はアンテナである。
【０１４９】
なお図９では表示用パネル２９０１が音声出力部２９０５を有し、操作用パネル２９０２が音声入力部２９０８を有しているが、本実施例はこの構成に限定されない。表示用パネル２９０１が音声入力部２９０８を有し、操作用パネルが音声出力部２９０５を有していても良い。また音声出力部２９０５と音声入力部２９０８とが共に表示用パネル２９０１に設けられていても良いし、音声出力部２９０５と音声入力部２９０８とが共に操作用パネル２９０２に設けられていても良い。
【０１５０】
また図９に示した携帯情報端末は操作キー２９０６がそれぞれＬＥＤ、液晶またはＥＬ等を有している。そして各操作キー２９０６が有するＬＥＤ、液晶またはＥＬ等によって、操作キー２９０６のそれぞれに、単数または複数の文字、記号、数字等が表示される。そして本実施例の携帯情報端末は、表示部２９０４に表示される画像の方向及び操作キー２９０６に表示される文字、数字、記号等の画像の方向を、利用者が適宜変更することが可能である。
【０１５１】
図９（Ａ）には表示用パネル２９０１と操作用パネル２９０２とを横方向に並べたときに、表示部２９０４に表示される画像の方向と、操作キー２９０６に表示される文字、数字、記号等の画像の方向とが、利用者側から見て本来の方向にある場合を示した。
【０１５２】
また図示してはいないが、表示用パネル２９０１と操作用パネル２９０２とを縦方向に並べたときに、表示部２９０４に表示される画像の方向と、操作キー２９０６に表示される文字、数字、記号等の画像の方向とが、利用者側から見て本来の方向にあるようにしても良い。
【０１５３】
本発明の携帯情報端末は、利用者の使い勝手に合わせて、表示部２９０４に表示される画像の方向及び操作キー２９０６に表示される文字、数字、記号等の画像の方向を切り替えることが可能である。
【０１５４】
なお図９では表示部２９０４に表示される画像の方向と、操作キー２９０６に表示される文字、数字、記号等の画像の方向とが常に同じ場合について説明したが、本発明はこれに限定されない。表示部２９０４に表示される画像の方向と、操作キー２９０６に表示される文字、数字、記号等の画像の方向とが異なっていても良い。
【０１５５】
なお図９に示した操作キーが表示している文字、数字及び記号は一例であり、本発明の携帯情報端末はこれらの文字、数字及び記号に限定されない。
【０１５６】
また表示部２９０４に表示される画像の方向と、操作キー２９０６に表示される文字、数字、記号等の画像の方向とを、接続部１０３における表示用パネル２９０１の表示部２９０４を有する面と操作用パネル２９０２の操作キー２９０６を有する面との間の角度によって自動的に切り替えるような構成にしても良い。
これらの構成については、特許願２０００−０８０９７３に詳しく記載されている。
【０１５７】
上記構成によって本発明の携帯情報端末を、利用者にとってより使い勝手の良いものとすることができる。
【０１５８】
なお本実施例は、実施例１〜実施例５と自由に組み合わせて実施することが可能である。
【実施例８】
【０１５９】
本実施例では、本発明で用いる、三重項励起子からの燐光を発光に利用できるＥＬ材料の特性について述べる。
【０１６０】
本発明の表示装置において、任意波形発生器により電源供給線にＤＣ印加、ON-OFFをスイッチングし、応答時間を測定した。ON期間（選択期間）、off期間（非選択期間、電圧０Ｖ）はそれぞれ250μsとした。
【０１６１】
ＥＬ素子の発光輝度を測定する光学系として、顕微鏡、顕微鏡鏡筒にフォトマルチプライヤー設置し、フォトマルチプライヤーの出力をオシロスコープで測定した。なお本明細書において応答時間とは、非選択状態から選択状態へのスイッチの立ち上がり、選択状態から非選択状態へのスイッチの立ち下がりと定義する。具体的には、駆動波形のスイッチの瞬間からそれに追従する光学応答の変化がフル応答に対し９０％まで変化するのに要する時間を応答時間とした。
【０１６２】
図１５に、測定時における、電源供給線に入力される信号の駆動波形と、ＥＬ素子の発光輝度を意味する光学応答波形を示す。上が駆動波形、下が光学応答である。フォトマルチプライヤーはマイナス出力のタイプを使用しており、電圧０Ｖから６Ｖまでを印加した。この時応答時間は３３μｓであった。
【０１６３】
以上のように三重項励起子からの燐光発光を利用できれば原理的には一重項励起子からの蛍光発光を用いる場合より３〜４倍の高い外部発光量子効率の実現が可能となる。
【０１６４】
本実施例は、実施例１〜７と自由に組み合わせて実施することが可能である。
【実施例９】
【０１６５】
本実施例では、画素部に設けられている記憶回路が、ソース信号線の下に配置されている例について説明する。
【０１６６】
図１６は、下面照射型のＥＬ表示装置の画素の上面図である。画素８０１は、ソース信号線８０４の１つと、ゲート信号線８０３と、電源供給線８０５の１つとを含む領域であり、画素電極８０１を有している。なお図１６では図示していないが、画素８００は、スイッチング用ＴＦＴと、ＥＬ駆動用ＴＦＴとを有している。
【０１６７】
デザインルールを１μｍ、画素ピッチを１００ｐｐｉ程度とすれば、本発明において用いる記憶回路をソース信号線８０４の下に配置することが可能になり、上面照射型だけではなく、下面照射型のＥＬ表示装置にも適応可能である。
【０１６８】
また、ソース信号線８０４ではなく、ゲート信号線８０３の下に記憶回路を配置することも可能である。
【０１６９】
なお、本実施例の構成は、実施例１〜８において記載された構成と、自由に組み合わせて実施することが可能である。
【図１】
0005542264.tif 000005
【図２】
0005542264.tif 000006
【図３】
0005542264.tif 000007
【図４】
0005542264.tif 000008
【図５】
0005542264.tif 000009
【図６】
0005542264.tif 000010
【図７】
0005542264.tif 000011
【図８】
0005542264.tif 000012
【図９】
0005542264.tif 000013
【図１０】
0005542264.tif 000014
【図１１】
0005542264.tif 000015
【図１２】
0005542264.tif 000016
【図１３】
0005542264.tif 000017
【図１４】
0005542264.tif 000018
【図１５】
0005542264.tif 000019
【図１６】
0005542264.tif 000020